(57)【要約】      （修正有）【課題】公共の場における照明装置でありながら、特定の使用者のみが特定の照明装置の制御を実行することを可能とし、適切な運用が可能な照明装置を提供する。【解決手段】調光及び／又は調色が可能な面光源１と、情報を表示可能な領域を有し、いずれかの領域への接触を検知することにより接触された領域に応じた面光源１の発光状態の制御用信号を発生するタッチパネル部２と、制御用信号に応じて面光源１の発光状態を制御する制御部３と、特定の使用者を認証可能な認証部４と、を有する。特定の使用者かどうかの認証に応じて、タッチパネル部２における発光状態の制御のための指示内容が変更可能である。【選択図】図１
2016046205.tif 000002
【特許請求の範囲】
【請求項１】
調光及び／又は調色が可能な面光源と、
情報を表示可能な領域を有し、いずれかの領域への接触を検知することにより接触された領域に応じた該面光源の発光状態の制御用信号を発生するタッチパネル部と、
該制御用信号に応じて該面光源の発光状態を制御する制御部と、
特定の使用者を認証可能な認証部と、を有し、
該特定の使用者かどうかの認証に応じて、該タッチパネル部における発光状態の制御のための指示内容が変更可能であることを特徴とする、照明装置。
【請求項２】
前記タッチパネル部が、前記特定の使用者のみが操作可能な認証操作領域と、いずれの使用者でも操作可能な非認証操作領域とに分かれていることを特徴とする、請求項１に記載の照明装置。
【請求項３】
前記タッチパネル部が、前記特定の使用者のみが操作可能な認証操作画面と、いずれの使用者でも操作可能な非認証操作画面との２種類の画面を切り替えて表示可能であることを特徴とする、請求項１に記載の照明装置。
【請求項４】
前記認証部は、該認証用携帯機を保有している使用者が、
該認証部の検知範囲内に入ることにより認証を行うか、もしくは、
前記タッチパネル部への接触により認証を行うことを特徴とする、請求項１乃至３のいずれか１項に記載の照明装置。
【請求項５】
前記認証部は、前記タッチパネル部への前記使用者による特定の接触パターンを認識することにより認証を行うことを特徴とする、請求項１乃至３のいずれか１項に記載の照明装置。
【請求項６】
前記タッチパネル部にＣＩＥが定めた色度図が情報として表示され、前記使用者が表示された前記色度図上の領域に接触することにより、接触した箇所の色度に対応する発光状態の制御用信号を発生することを特徴とする、請求項１乃至５のいずれか１項に記載の照明装置。
【請求項７】
前記面光源が有機ＥＬ発光パネルであることを特徴とする請求項１乃至６のいずれか１項に記載の照明装置。
【発明の詳細な説明】
【技術分野】
【０００１】
本発明は、タッチパネルにより操作可能な照明装置に関する。
【背景技術】
【０００２】
照明装置の制御端末としては、押しボタンやダイアル式等が従来広く使われているが、より操作が簡単な制御端末として、例えば特許文献１のように、表面にタッチセンサを有するタッチパネルを用いるものが提案されてきている。このようなタッチパネルでの操作は使用者にとってストレスの少ない照明の制御を可能にする。
【先行技術文献】
【特許文献】
【０００３】
【特許文献１】日本国特開２０１２−２１８７２８号公報
【発明の概要】
【発明が解決しようとする課題】
【０００４】
しかしながら、タッチパネルによる照明装置の制御は、誰にでも容易に扱える反面、不特定多数の人間が勝手に照明の状態を変更可能であるという問題点があった。タッチパネル端末を鍵のついたボックス等に収納する等の処置を行えば、上記問題は解決するが、今度は逆に不特定多数の人間が容易に操作できないことになってしまい、公共の場での照明装置としては不便になってしまう。
【課題を解決するための手段】
【０００５】
本発明者らは上記課題を解決すべく鋭意検討した結果、タッチパネルによる照明装置の制御において、不特定多数の人間が操作可能な発光制御と、特定の人間のみに制御可能な発光制御に分け、上記特定の人間を認証する機能をタッチパネルに持たせることで、上述の問題を解決した。
本発明はこのような知見に基づいて達成されたものであり、以下に示す＜１＞〜＜７＞を要旨とする。
【０００６】
＜１＞調光及び／又は調色が可能な面光源と、情報を表示可能な領域を有し、いずれかの領域への接触を検知することにより接触された領域に応じた該面光源の発光状態の制御用信号を発生するタッチパネル部と、該制御用信号に応じて該面光源の発光状態を制御する制御部と、特定の使用者を認証可能な認証部と、を有し、該特定の使用者かどうかの認証に応じて、該タッチパネル部における発光状態の制御のための指示内容が変更可能であることを特徴とする、照明装置。
＜２＞前記タッチパネル部が、前記特定の使用者のみが操作可能な認証操作領域と、いずれの使用者でも操作可能な非認証操作領域とに分かれていることを特徴とする、＜１＞に記載の照明装置。
＜３＞前記タッチパネル部が、前記特定の使用者のみが操作可能な認証操作画面と、いずれの使用者でも操作可能な非認証操作画面との２種類の画面を切り替えて表示可能であることを特徴とする、＜１＞に記載の照明装置。
＜４＞前記認証部は、該認証用携帯機を保有している使用者が、該認証部の検知範囲内に入ることにより認証を行うか、もしくは、前記タッチパネル部への接触により認証を行うことを特徴とする、＜１＞〜＜３＞のいずれか１に記載の照明装置。
＜５＞前記認証部は、前記タッチパネル部への前記使用者による特定の接触パターンを認識することにより認証を行うことを特徴とする、＜１＞〜＜３＞のいずれか１に記載の照明装置。
＜６＞前記タッチパネル部にＣＩＥが定めた色度図が情報として表示され、前記使用者が表示された前記色度図上の領域に接触することにより、接触した箇所の色度に対応する発光状態の制御用信号を発生することを特徴とする、＜１＞〜＜５請求項＞のいずれか１に記載の照明装置。
＜７＞前記面光源が有機ＥＬ発光パネルであることを特徴とする＜１＞〜＜６＞のいずれか１に記載の照明装置。
【発明の効果】
【０００７】
本発明によれば、タッチパネルにより照明装置を制御する際に、使用者に応じて種々の制御方法を許可するシステムが実現でき、照明装置の制御を使用環境に応じた形で提供することが可能となる。
【図面の簡単な説明】
【０００８】
【図１】本発明の照明装置の構成を示すブロック図である。
【発明を実施するための形態】
【０００９】
以下、本発明の実施の形態について、図面を参照しながら詳細に説明する。尚、本発明は以下に記載する内容に限定されるものではなく、本発明の趣旨を逸脱しない範囲において任意に変更して実施することが可能である。
また、以下の説明に用いる図面は、何れも本発明に係る照明装置等を模式的に示すものであって、理解を深めるべく部分的な強調、拡大、縮小、または省略などを行なっている場合があり、各構成部材の縮尺や形状などを正確に表すものとはなっていないことがある。更に、以下の説明で用いる様々な数値は何れも一例を示すものであり、必要に応じて様々に変更することが可能である。
【００１０】
本発明の照明装置は、少なくとも、面光源、タッチパネル部、制御部及び認証部を有する。以下、本発明の照明装置について、照明装置の構成を示したブロック図である図１を用いて詳述する。
［本発明の照明装置１０の基本構成］
まずは本発明の照明装置の基本的な構成について説明する。具体的な応用例については後述する。
【００１１】
（面光源１）
本発明の面光源１は、面発光が可能な光源であり、例えば、有機ＥＬ素子や、導光板を有するＬＥＤ発光素子等を用いることができる。また、面光源１は、発光のｏｎ／ｏｆｆのみでなく、調光及び／又は調色が可能であり、調光及び調色が可能であることが好ましい。本発明における調光とは、面光源１への供給電力を変更する等して、発光される光の輝度もしくは光束等の大きさを変更し、光の明るさを任意に変更可能であることを指す。また、本発明における調色とは、面光源１の発光状態を制御することにより、発光される光の色や、白色光の場合の色温度等を任意に変更可能であることを指す。これらの機能は、従来公知の技術を用いて容易に実現可能である。
【００１２】
面光源１としては、有機ＥＬ素子からなる有機ＥＬ発光パネルが好ましいが、導光板を有するＬＥＤ発光パネルであってもよい。有機ＥＬ発光パネルや導光板を有するＬＥＤ発光パネルは、従来公知の技術を用いて適宜実現可能である。
また、面光源１は、複数の、各々独立して制御可能な面発光素子の集合からなっていてもよい。この場合、各面発光素子は調光及び調色が不可能であっても、各発光素子のｏｎ／ｏｆｆの制御や、異なる色の発光素子を設けた場合の各発光素子のｏｎ／ｏｆｆの制御により、面光源１全体としての調光及び／又は調色が可能であればよい。複数の発光素子の発光制御により任意の照明パターンを発生させることができてもよい。
【００１３】
（タッチパネル部２）
本発明のタッチパネル部２は、情報を表示可能な領域を有する。また、これらの領域に物体が接触した際に、該接触を検知可能であり、接触が検知された領域に応じて、所望の制御用信号を発生させることが可能である。タッチパネル部２は、後述の制御部３と電気的に接続されており、発生させた制御用信号を制御部３に送信することが可能である。この制御用信号は、面光源１の発光状態を制御するための信号であり、面光源１に対して所望の調光及び／又は調色を行うための信号である。
タッチパネル部は従来公知の技術を用いて適宜構成することが可能である。
【００１４】
（制御部３）
本発明の制御部３は、面光源１と電気的に接続されており、タッチパネル部２からの制御用信号に応じて、面光源１の調光及び／又は調色等の発光状態の制御を行うことが可能である。具体的には、面光源１のｏｎ／ｏｆｆを行ったり、供給電圧若しくは電流を変更することにより、面光源１の発光の強度、発光色、発光色温度、あるいは発光パターン等を制御する。
また、後述する認証部４とも電気的に接続されており、認証部４の認証状態に応じて、タッチパネル部の情報の表示内容を制御することも可能である。
制御部３は従来公知の技術を用いて適宜構成することが可能である。
【００１５】
（認証部４）
本発明の認証部４は、特定の使用者か否かを認証可能な機能を有する。どのように認証するかについては、従来公知の技術を用いて適宜選択することが可能であるが、具体的には、認証部４に設けられた鍵穴に所定の鍵を挿入し認証を行ってもよいし、認証部４にキーボード等の入力装置を設け、特定のパスワードを入力することにより認証を行ってもよいし、認証部４が指紋認証装置を有し、あらかじめ特定の使用者の指紋を登録した上で認証を行うこととしてもよい。
認証部４は、前述の通り制御部３と電気的に接続されており、使用者の認証状況を示す認証用信号を制御部３に送信する機能を有する。
【００１６】
（本発明の効果）
上述の基本構成を有する照明装置１０を実現することにより、公共の場における照明装置でありながら、特定の使用者のみが特定の照明装置の制御を実行することが可能となり、照明装置の使用の適切な運用が可能となる。
【００１７】
［本発明の照明装置１０の変形例］
以下、上述した本発明の照明装置の基本構成に加え、種々の構成を加えた変形例について詳述する。
【００１８】
（タッチパネル部２の変形例）
認証部４の認証状況に応じて、制御部３からタッチパネル部２へ、タッチパネル部２において指示可能な発光状態として表示すべき情報を指定することが可能であるが、その際、タッチパネル部２の情報表示可能な領域が、特定の使用者のみが操作可能な認証操作領域と、いずれの使用者でも操作可能な非認証操作領域に別れていてもよい。このようにすることで、使用者が操作すべき領域を容易に認識可能である。
【００１９】
また、タッチパネル部２が、特定の使用者のみが操作可能な認証操作画面と、いずれの使用者でも操作可能な非認証操作画面との２種類の画面を切り替えて表示可能であることが好ましい。この場合、通常は非認証操作画面を表示し、特定の使用者が認証された場合にのみ、前記認証操作画面を表示するように制御を行う。このようにすることで、使用者
が、自分自身が特定の使用者であるかどうかを認識して操作すべき領域を特定する必要が無く、いずれの使用者にとっても操作しやすい。
【００２０】
また、タッチパネル部２にＣＩＥが定めた色度図が情報として表示され、使用者が表示された前記色度図上の領域に接触することにより、接触した箇所の色度に対応する発光状態の制御用信号を発生することも好ましい。この場合、面光源１は調色可能であることが必要である。色度図を用いて直接的に発光色を指定できることにより、使用者のイメージ通りの色合いの照明環境が実現できる。
【００２１】
（認証部４の変形例）
認証部４における使用者の認定方法として、使用者が認証用携帯機を保有しているか否かにより使用者を特定することが好ましい。具体的には、認証用携帯機を保有している使用者が認証部の検知範囲内に入ることにより認証を行うか、もしくは、認証用携帯機を保有している使用者がタッチパネル部２へ接触することにより認証を行う。このような認証方法を取ることで、特定の使用者の認証をより確実に行うことが可能である。このような認証方法は、自動車のスマートエントリーシステムとして知られている無線認証システムや、ＩＣカードを保持する使用者が認証部４の所定の場所に触れることで、人体表面に発生する微弱電界を利用して通信を行う人体通信技術等、公知の技術を用いて実現可能である。
【００２２】
また、他の認証方法として、タッチパネル部２への使用者による特定の接触パターンを認識することにより認証を行うことも好ましい。例えば、使用者がタッチパネル部２の所定の領域に、指で「ＯＫ」となぞることで特定の使用者と認識する、等である。このような認証方法を取ることで、特別な機器を必要とすることなく、特定の使用者の認証を簡便に行うことが可能である。
【符号の説明】
【００２３】
１      面光源
２      タッチパネル部
３      制御部
４      認証部  
【図１】
2016046205.tif 000003